(57)【特許請求の範囲】
【請求項１】
階段室の曲がり部の下側アウトコーナー支柱及び上側アウトコーナー支柱間のアウトサイドの踏板支持部材の組み合わせであって、
下側アウトコーナー支柱側で、下側の第１踏板支持部材と、互いに設けられた嵌合溝に他方を嵌めて、直交する状態で連結された第２踏板支持部材と、
上側アウトコーナー支柱側で、上側の第４踏板支持部材と、互いに設けられた嵌合溝に他方を嵌めて、直交する状態で連結されており、下側端部が第２踏板支持部材の上側端部と上下に重なるようにして第２踏板支持部材の上側前方に配される第３踏板支持部材と
を有し、
第３踏板支持部材の下側端部の下端面を第２踏板支持部材の上側端部の上端面に当接することにより、第２踏板支持部材及び第３踏板支持部材それぞれの隣り合う踏板載置面間の高さが設定の蹴上げ高さとなる状態で取り付けられるように構成されている階段室の曲がり部のアウトサイドの踏板支持部材の組み合わせ。
【発明の詳細な説明】
【０００１】
【発明の属する技術分野】
本発明は階段室の曲がり部のアウトサイドの踏板支持部材の組み合わせに関する。
【０００２】
【従来の技術】
従来、この種の踏板支持部材の組み合わせとして以下の如きものは知られている。
階段室の曲がり部のアウトサイドの踏板支持部材の組み合わせであって、下側踏板支持部材と、下側踏板支持部材に対して一部が所定間隔をあけて上下に重なるようにして下側踏板支持部材の前方に配される上側踏板支持部材とを有するものは知られている。
【０００３】
【従来の技術の施工方法】
階段室の曲がり部のアウトサイドの側部の設定位置に下側踏板支持部材を取り付けた後、下側踏板支持部材の踏板載置面から設定の上方高さ位置に、上側踏板支持部材の位置を定めるための墨出しを行ない、その後、墨出しで得た墨線に沿うように上側踏板支持部材を取り付ける。このようにして、下側踏板支持部材の前部の踏板載置面（上端面）と上側踏板支持部材の後部の踏板載置面（上端面）との高さが設定の蹴上げ高さとなるようにしていた。なお、このようにして施工された下側踏板支持部材と上側踏板支持部材との間には所定の上下間隙があくものである。
【０００４】
【従来技術の欠点】
前記従来の踏板支持部材の組み合わせには以下の如き欠点があった。
上側踏板支持部材の位置を定めるための墨出しが必要な分だけ、施工性が悪いという欠点があった。
【０００５】
【課題を解消するための手段】
本発明は前記欠点を解消するために以下の如き手段を採用した。
請求項１の発明は、階段室の曲がり部の下側アウトコーナー支柱及び上側アウトコーナー支柱間のアウトサイドの踏板支持部材の組み合わせであって、下側アウトコーナー支柱側で、下側の第１踏板支持部材と、互いに設けられた嵌合溝に他方を嵌めて、直交する状態で連結された第２踏板支持部材と、上側アウトコーナー支柱側で、上側の第４踏板支持部材と、互いに設けられた嵌合溝に他方を嵌めて、直交する状態で連結されており、下側端部が第２踏板支持部材の上側端部と上下に重なるようにして第２踏板支持部材の上側前方に配される第３踏板支持部材とを有し、第３踏板支持部材の下側端部の下端面を第２踏板支持部材の上側端部の上端面に当接することにより、第２踏板支持部材及び第３踏板支持部材それぞれの隣り合う踏板載置面間の高さが設定の蹴上げ高さとなる状態で取り付けられるように構成されているものである。
【０００６】
【発明の効果】
本発明は前記した如き構成によって以下の如き効果を奏する。
請求項１の発明によれば、下側踏板支持部材を階段室の支柱等に固定した後、上側踏板支持部材を下側踏板支持部材に当てて階段室の支柱等に固定しさえすれば、設定の蹴上げ高さを自動的に得ることが出来るので、従来必要とした、上側踏板支持部材の位置を定める墨出し作業が不要となるので、省施工を図ることが出来る。
【０００７】
【発明の実施の形態】
以下に本発明の実施の形態を説明する。
なお、この説明において、前後・左右は階段を上る人を基準にし、前とはその人の顔が向く側を、後とは背中が向く側をいい、左とはその人の左側を、右とは同右側をいう。
【０００８】
階段室１は、１階に繋がる１階側階段部２と、この１階側階段部２と平行となるようにして設けられた、２階に繋がる２階側階段部４と、２階側階段部４と１階側階段部２とを繋ぐ曲がり部３とを有している。
なお、図面に示された踏板２０、４２、蹴込板２１、４３、側板２２、ささら桁１６等は下地部材であり、階段室１の内部から見える状態の下地部材は、施工の進行段階に対応して公知の化粧部材により化粧されるものである。
【０００９】
前記階段室１は、１階側階段部２と２階側階段部４との境に位置するインコーナー支柱６と、平面形状長方形の曲がり部３の角部に位置する、第１アウトコーナー支柱７、第２アウトコーナー支柱８、第４アウトコーナー支柱１０、第５アウトコーナー支柱１１と、第２アウトコーナー支柱８と第４アウトコーナー支柱１０との中間に位置する第３支柱９と、所定の支柱間に配置された複数の小柱１３とを有している。
【００１０】
前記１階側階段部２は、外側面の下側部に沿って設けられた長尺のスペーサー１８を介してインコーナー支柱６、第１アウトコーナー支柱７、小柱１３等に取り付けられた左右一対のささら桁１６と、ささら桁１６の踏板載置面１６ａに固定された踏板２０と、ささら桁１６の蹴込板取付面１６ｂに取り付けられた蹴込板２１とを有している。踏板２０及び蹴込板２１の左右端は、ささら桁１６の外側面より突出しないようになされており、前記スペーサー１８の上方が側板嵌入空間１９（図３参照）となされている。側板２２は、その下部を側板嵌入空間１９に嵌めるようにして、インコーナー支柱６、第１アウトコーナー支柱７、小柱１３等に固定されている。なお、図２に示すごとく、階段室１側からささら桁１６を見た際、スペーサー１８はささら桁１６に完全に隠れるようになされている。このような構成により、側板２２の下縁をスペーサー１８に当接する傾斜縁とするだけでよい。換言すれば、スペーサー１８を介さずにささら桁１６を直接にインコーナー支柱６、第１アウトコーナー支柱７、小柱１３等に取り付けた場合、側板２２の下縁はささら桁１６の上縁の形状に沿う階段状にしなければならないが、本実施の形態ではそのようにする必要がなく、施工性がよいということである。
【００１１】
前記２階側階段部４は、１階側階段部２と構造が同じであるので、説明は省略する。
【００１２】
次に、曲がり部３について説明する。
前記第１アウトコーナー支柱７と第２アウトコーナー支柱８とに第１踏板支持部材２５が渡し止められている。この第１踏板支持部材２５の上端面は、下側の踏板載置面２５ａと上側の踏板載置面２５ｂとを有し、両者の境の垂直面が蹴込板取付面２５ｃとなされている。
前記第１踏板支持部材２５の、第２アウトコーナー支柱８側の端部に、後述の第２踏板支持部材２９が嵌まる嵌合溝２７（内外方及び上方に開放している）が形成されている（図２参照）。
【００１３】
前記第２アウトコーナー支柱８と第３支柱９とに第２踏板支持部材２９が渡し止められている。この第２踏板支持部材２９の上端面は、下側の踏板載置面２９ａと上側の踏板載置面２９ｂとを有し、両者の境の垂直面が蹴込板取付面２９ｃとなされている。
前記第２踏板支持部材２９の、第２アウトコーナー支柱８側の端部に、第１踏板支持部材２５が嵌まる嵌合溝３１（内外方及び下方に開放している）が形成されている（図４参照）。
【００１４】
そして、嵌合溝２７と嵌合溝３１とを対向させて、嵌合溝２７に第２踏板支持部材２９を嵌め、嵌合溝３１に第１踏板支持部材２５を嵌めることによって、第１踏板支持部材２５と第２踏板支持部材２９とを組み合わせると、第１踏板支持部材２５の踏板載置面２５ｂと第２踏板支持部材２９の踏板載置面２９ａとが面一となるようになされている。なお、嵌合溝２７の第２アウトコーナー支柱８側の側面は第２アウトコーナー支柱８の側面８ａと面一となるようになされ、嵌合溝３１の第２アウトコーナー支柱８側の側面は第２アウトコーナー支柱８の側面８ｂと面一となるようになされている。また、第１踏板支持部材２５の外側縁部が第２アウトコーナー支柱８への固定部２５ｄとなされ、第２踏板支持部材２９の外側縁部が第２アウトコーナー支柱８への固定部２９ｄとなされている。
【００１５】
前記第３支柱９と第４アウトコーナー支柱１０とに第３踏板支持部材３４が渡し止められている。この第３踏板支持部材３４の上端面は踏板載置面３４ａとなされている。なお、第３踏板支持部材３４の後部と第２踏板支持部材２９の前部とは、第３支柱９の部分で上下に重なるようになされている。
前記第２踏板支持部材２９の踏板載置面２９ｂに第３踏板支持部材３４の下端面を当てると、踏板載置面３４ａが水平となると共に踏板載置面２９ｂから踏板載置面３４ａまでの高さ（Ｈ）（図４参照）が、設定の蹴上げ高さとなるようになされている。
前記第３踏板支持部材３４の、第４アウトコーナー支柱１０側の端部に、後述の第４踏板支持部材３８が嵌まる嵌合溝３６（内外方及び上方に開放している）が形成されている（図４参照）。
【００１６】
前記第４アウトコーナー支柱１０と第５アウトコーナー支柱１１とに第４踏板支持部材３８が渡し止められている。この第４踏板支持部材３８の上端面は踏板載置面３８ａとなされている。
前記第４踏板支持部材３８の、第４アウトコーナー支柱１０側の端部に、第３踏板支持部材３４が嵌まる嵌合溝４０（内外方及び上方に開放している）が形成されている（図５参照）。
【００１７】
そして、嵌合溝３６と嵌合溝４０とを対向させて、嵌合溝３６に第４踏板支持部材３８を嵌め、嵌合溝４０に第３踏板支持部材３４を嵌めることによって、第３踏板支持部材３４と第４踏板支持部材３８とを組み合わせると、第３踏板支持部材３４の踏板載置面３４ａと第４踏板支持部材３８の踏板載置面３８ａとが面一となるようになされている。なお、嵌合溝３６の第４アウトコーナー支柱１０側の側面は第４アウトコーナー支柱１０の側面１０ａと面一となるようになされ、嵌合溝４０の第４アウトコーナー支柱１０側の側面は第４アウトコーナー支柱１０の側面１０ｂと面一となるようになされている。また、第３踏板支持部材３４の外側縁部が第４アウトコーナー支柱１０への固定部３４ｂとなされ、第４踏板支持部材３８の外側縁部が第４アウトコーナー支柱１０への固定部３８ｂとなされている。
【００１８】
前記インコーナー支柱６には、踏板載置面２５ａと同一高さ位置の踏板載置面を有する踏板支持部材（図示略）、踏板載置面２５ｂ（踏板載置面２９ａ）と同一高さ位置の踏板載置面を有する踏板支持部材（図示略）、踏板載置面２９ｂと同一高さ位置の踏板載置面を有する踏板支持部材（図示略）、踏板載置面３４ａ（踏板載置面３８ａ）と同一高さ位置の踏板載置面を有する踏板支持部材（図示略）が取り付けられている。
そして、同一高さの踏板載置面に踏板４２が渡し止められ、また、上下に位置する踏板４２の縁部に蹴込板４３が渡されている。なお、云うまでもないが、１階側階段部２の一番上の踏板２０の前縁部と曲がり部３の一番下の踏板４２の後縁部とに蹴込板２１が渡され、曲がり部３の一番上の踏板４２の前縁部と２階側階段部４の一番下の踏板２０の後縁部とに蹴込板２１が渡されている。
【００１９】
前記曲がり部３の側板２２の下端縁は踏板４２の上面に当接するようになされている。
【００２０】
【変形例等】
以下に変形例等について説明を加える。
（１）ささら桁、踏板、蹴込板等を下地材でなく、当初から化粧された部材とする場合もある。
（２）曲がり部３は、１階側階段部２と２階側階段部４との、平面から見た向きを９０度に変えるものであってもよい。
【図面の簡単な説明】
【図１】本発明の実施の形態を示す、曲がり部の側板を省略した要部水平断面図である。
【図２】図１のＩＩ−ＩＩ線断面図である。
【図３】図２のＩＩＩ−ＩＩＩ線断面図である。
【図４】図１のＩＶ−ＩＶ線断面図である。
【図５】図１のＶ−Ｖ線断面図である。
【符号の説明】
１  階段室
３  曲がり部
２９  第２踏板支持部材
２９ｂ  踏板載置面
３４  第３踏板支持部材
３４ａ  踏板載置面
【図１】
0003930303.tif 000002
【図２】
0003930303.tif 000003
【図３】
0003930303.tif 000004
【図４】
0003930303.tif 000005
【図５】
0003930303.tif 000006